(57)【要約】      （修正有）【課題】レンズ筒が直角に突出するカメラに特に有用であって、カメラの脱着作業が容易で、無駄のない型取りを可能とし、ネオプレンを材料により、安価なカメラケースを提供する。【解決手段】レンズ筒が直角に突出するカメラ用の挿入開口２６、収容室を具えた有底カメラケース本体２０において、カメラ撮影側正面のカメラ筒挿入開口２８を形成する上端に、対向する両側から相互に伸びる面ファスナー締着可能な締着バンド部２４，２５を具え、且つネオプレン製としてカメラケースを形成する。【選択図】図１
0003165332.tif 000002
【実用新案登録請求の範囲】
【請求項１】
カメラ本体の撮影側正面に対し直立して突出するレンズ筒を有するカメラ用のカメラケースにおいて、カメラケースＣは、一端にカメラ本体挿入開口２６を、他端に底２３を備えてカメラ本体を収容する収容室２７の形成された有底のカメラケース本体２０であって、装着されたカメラのレンズ筒Ｌを突出可能に且つカメラ本体の抜け出し不能に保持するための締着具を具えたバンド部を有するカメラケース本体２０と、
当該カメラケース本体２０に連結部１１ｃを介して結合され、前記レンズ筒Ｌを包囲して内部に収容可能とする収容室１１ａを具えた膨出袋部１１及びカバー部１２を有する膨出袋状カバー部１０とからなり、
前記バンド部は、カメラケース本体２０の上部周囲におけるレンズ筒装着側の前面中央近傍が分離可能であり、レンズ筒Ｌを挿通し突出させた状態にセット固定可能とするため、カメラケース本体２０の撮影側正面上端に両側から対向状に内向きに伸び、それらの先端部を互いに重ね合わせ面にそれぞれ面ファスナー２４a、２５aを有する一対の締着バンド部２４、２５からなるものとして構成されると共に、前記膨出袋状カバー部１０とカメラケース本体２０とがネオプレン材料により作製されていることを特徴とするネオプレン製カメラケース。
【請求項２】
請求項１において、前記膨出袋状カバー部１０における膨出袋部１１の内部にあって、カメラ本体前面のレンズ筒Ｌ横方向幅広側に面する側面部１１ｂ側に位置してメディアカード収容ポケット１３を備えたことを特徴とするネオプレン製カメラケース。
【請求項３】
請求項１又は２において、カバー部１２の先端と、カメラケース底部外表面とに面ファスナーを備えたことを特徴とするネオプレン製カメラケース。
【考案の詳細な説明】
【技術分野】
【０００１】
この考案は、カメラケースに関し、カメラケースに装着するカメラ本体との着脱を容易とし、着脱性の改善を図ると共に、安価に提供することのできるネオプレン製のカメラケースに関するものである。
【背景技術】
【０００２】
デジタルカメラの普及と共に一眼レフカメラが広く普及している。一般に、革製品のカメラケースは堅牢性に優れているものの高価である。
また、革製品のカメラケースはカメラ本体を内部に実装したとき、カメラ本体がケースから抜け出さないように、抜け出し防止バンドを備えるも、この抜け出し防止バンドは装着口を横切りカメラ本体の上部からその奥行き方向に延びて形成されるものであり、斯かる革製品のカメラケースの製造に当って平面皮革材から型取りする場合、必然的のカメラケースを平面展開したときの形状は、カメラ本体外周面に沿う所定幅の平面部とその一辺から直角方向に延びるバンド部とからなる展開となるため、直角方向に延びるバンド部を備えることの必然性から、無駄の少ない型採りする上で改善すべき問題が残されるものであった。
【０００３】
また、天然皮革又は合成皮革のカメラケースで、ケースに切れ目によって切り込み片を形成しその先端で固定する装着機構を備えたものがある。この場合、切り込み片に強い引き抜き力が加えられたときには、切れ目の分岐根元部分に過度の引き裂き力が作用することがあり、これによって切り込み箇所においてさらに引き裂かれるおそれがあり、耐久性に問題を残すものであった。
【０００４】
そして、カメラ本体の装着か簡単で迅速にでき、しかも安価に提供できるカメラケースが求められていた。
【０００５】
【特許文献１】特開平２０００−２２５０１６
【非特許文献１】「マイクロフォーサーズＷｏｒｌｄ」発行所日本カメラ社、Ｐ．１０３、「マイクロフォーサーズ用アクセサリーＷＯＲＬＤ」「サードパーティー編」「Ａｋｉ-Ａｓａｈｉ  ＥＰ１Ｌｅａｔｈｅｒ  Ｓｎａｐ  Ｃａｓｅ」
【考案の開示】
【考案が解決しようとする課題】
【０００６】
本考案は、上記した課題を解決するために案出されたものである。このため、本考案は、レンズ筒を有したカメラ用ネオプレン製カメラケースであつて、レンズ筒を包囲して収容する膨出袋状カバー部と一端に挿入開口を備えてカメラ本体を収容する有底のカメラケース部とからなり、レンズ筒を突出させてカメラ本体を収容するカメラケース部の前面上端に、両側から対向状に延長して伸びて、各先端を重ね締着可能とした一対のバンド部が形成されたことを特徴とするネオプレン製カメラケースを提供する。先行のものとの構造上の比較で概説すれば、本考案による抜け出し防止バンドは、先行手段のカメラ本体の上部箇所を横切って抜止めをする構造から、カメラ本体前面のレンズ筒上部でこれを横切って一対の面ファスナー止め可能なバンド部によりカメラ本体の抜止めをする構造と変えるものである。  本考案は、カメラケースを平面展開した型において、バンド部をカメラ本体外周面に沿う所定幅の平面部と略平行にして型取り裁断することができるので、無駄のない裁断が可能となり、しかもネオプレンを材料としてミシン掛けによる簡単な裁縫作業で製造できるため、安価な材料の採用と共に、安価なカメラケースを提供することができるものである。
【課題を解決するための手段】
【０００７】
本考案は、上記課題を解決するもので、カメラ本体の撮影側正面に対し直立して突出するレンズ筒を有するカメラ用のカメラケースにおいて、カメラケースＣは、一端にカメラ本体挿入開口２６を、他端に底２３を備えてカメラ本体を収容する収容室２７の形成された有底のカメラケース本体２０であって、装着されたカメラのレンズ筒Ｌを突出可能に且つカメラ本体の抜け出し不能に保持するための締着具を具えたバンド部を有するカメラケース本体２０と、当該カメラケース本体２０に連結部１１ｃを介して結合され、前記レンズ筒Ｌを包囲して内部に収容可能とする収容室１１ａを具えた膨出袋部１１及びカバー部１２を有する膨出袋状カバー部１０とからなり、前記バンド部は、カメラケース本体２０の上部周囲におけるレンズ筒装着側の前面中央近傍が分離可能であり、レンズ筒Ｌを挿通し突出させた状態にセット固定可能とするため、カメラケース本体２０の撮影側正面上端に両側から対向状に内向きに伸び、それらの先端部を互いに重ね合わせ面にそれぞれ面ファスナー２４a、２５aを有する一対の締着バンド部２４、２５からなるものとして構成されると共に、前記膨出袋状カバー部１０とカメラケース本体２０とがネオプレン材料により作製されていることを特徴とするネオプレン製カメラケースである。
以上によれば、レンズ筒挿入開口が略中央で分離されているため開口を大きく開くことができ、これにより、カメラケースへのレンズ筒付きカメラの収納等の脱着作業が容易となり、さらに、ネオプレン製でカメラによくフィットすることができ、安価で製作容易なカメラケースを提供することができる。
【０００８】
本考案は、さらに、前記膨出袋状カバー部１０における膨出袋部１１の内部にあって、カメラ本体前面のレンズ筒Ｌ横方向幅広両側に面する側面部１１ｂ側に位置してメディアカード収容ポケット１３を備えたカメラケースとしても提供することができる。
【考案の効果】
【０００９】
本考案によれば、ケース製作上、ケース展開材として直角状に延びる部分をなくすることができるので、形状の単純化を図ることができ、これにより無駄な除去材料をより少なくすると共に型取り設計（裁断）が容易となる。要すれば、無駄の少ない材料の有効利用を図り、且つ安価で製造加工の容易なネオプレン材料の採用と相俟って、安価なカメラケースを提供することが可能となる。伸縮性の大きいネオプレン材料の使用により、カメラにぴったりとフィットしたカメラケースを提供することができる。
【００１０】
また、本考案によれば、膨出袋状カバー部の内部に、袋状カバー部の側方に位置してメディアカード収容ポケットを備えることができるので、予備的メディアカードを保管して持ち運ぶことができ、しかもカメラケースの内部の簡単に設けることができ、製作上のメリットと使い勝手のメリットを持ったカメラケースを提供することもできる。また、ポケットの設置位置は、カバーを開いて開放したとき、開放メディアカードの存在を確認できる位置に設置されている。
その際、ポケットは膨出袋部１１の、カメラ本体のレンズ筒Ｌ横方向となる側面部１１ｂ側に位置して設けられるので、メディアカードを、比較的外部の衝撃の受けにくい位置に設定して収容でき、メディアカードの保護を図るともできる。
【実施例１】
【００１１】
以下、この考案の実施例について説明する。まず、カメラケースの概要について説明する。
【００１２】
図１は、カメラケースＣの膨出カバー部１０を開放した状態で、レンズ筒Ｌを囲んで配置し得る一対の締着バンド部２４、２５により締着可能な状態を示す斜視図である。
なお、以下の説明において、前面、側面は、通常の正常な撮影姿勢にある（カメラの横構えによる縦長状態、下構えによる上下反対位置の状態を意味するものではない）カメラ本体の位置を基準とし、カメラ本体による撮影側の正面で、レンズ筒の突出する側を前面とし、カメラ本体の底面、上面を除外した周囲の面を側面と定義する。
本考案のカメラケースＣは、カメラ本体の前面から直角方向に突出するレンズ筒Ｌを備え
た一眼レフ専用のカメラケースに特に有用である。
カメラケースＣは、レンズ筒Ｌを有したカメラ用ネオプレン製カメラケースであつて、図１に示すように、使用後装着したカメラと共に収納する際、レンズ筒Ｌを包囲して収容する膨出袋部１１と、カメラの上部を覆いカメラケース本体に締着するカバー部１２を備えた膨出カバー部１０と、一端上部にカメラ本体挿入開口２６を有し他端に底部２３を備えると共に周側部２１を備えた、カメラ本体を収容する有底収容室２７の形成されたカメラケース本体２０とからなる。
【００１３】
カメラケース本体２０の周側部２１前面には、レンズ筒Ｌを突出装着収納可能とする開放可能なレンズ筒開口２８が形成され、このため、カメラケース本体２０の前面上端に、上端両側から対向状に延長して伸びる一対の締着バンド部２４，２５が備えられている。この締着バンド部２４、２５には、重ね箇所における重ね対向面に面ファスナー２４ａ（図示省略）、２５ａが設けられている。したがって各締着バンド部２４、２５の先端を重ねて押えることにより簡単に締着することができ、これにより、レンズ筒Ｌを介してカメラをカメラケース本体２０に確りと装着することが可能となる。なお、符号２９は液晶窓である。なお、カメラケース本体２０において、その液晶窓２９は機種により設置されたカメラ操作部を隠す大きさとする場合があり、また液晶窓２９を省略する場合もある。
【００１４】
本考案のカメラケース本体２０によれば、レンズ筒挿入開口２６がより大きく開けるようにカメラケース本体２０の前面上端に、略中央近傍で分離可能に、前記上端両側から対向状に延長して伸び、各先端を重ね締着可能とした一対のバンド部２４，２５が形成されている。前記一対のバンド部２４，２５が略中央近傍で分離可能であることにより、レンズ筒挿入開口２４の入口部を大きく開放することができる。したがって、直交上に突出するレンズ筒Ｌを有するカメラ本体をカメラケース本体２０に装着する際に、レンズ筒Ｌ部分の挿入装着を邪魔することなく従来よりスムースに出し入れすることが可能となる。これにより、カメラケース本体２０への直交レンズ筒Ｌ付きカメラ本体の取り付けを容易に行うことができる。
【００１５】
一方、本考案のカメラケースＣは、カメラケース本体２０に膨出カバー部１０が接続部１１ｃにより連結されており、この膨出カバー部１０は、図１に示すように、カメラ本体から直交状に突出するレンズ筒Ｌを覆って収納する収容室１１ａを有する膨出袋部１１と、当該膨出袋部１１に続いて接続され、カメラケース本体２０の上部を被ってカメラを収納するカバー部１２を有している。そしてカバー部１２の先端部の内面に面ファスナー１２ａを具えている。
他方、カメラケース本体２０の底部２３の外表面には、図２（ｂ）に示すように、面ファスナー２３ａが具えられている。
したがって、カメラ不使用時にカメラを覆って収納する場合には、接続部１１cを起点に膨出カバー部１０全体を前方から巻き被せ膨出カバー部でカメラをカバーし、面ファスナー１２ａを面ファスナー２３ａに面合わせして締着すればよい。
【００１６】
図２を用いて、カメラケースＣの使用形態を説明する。
図２（ａ）において、使用に際して、カメラケース本体２０と膨出カバー部１０とを開放した状態のカメラケースＣが示される。カメラは、レンズ筒Ｌをレンズ挿入開口２８の開口縁２８ａから突出した状態でカメラケース本体２０に装着されている。その際、カメラケース本体２０に挿入されたカメラは、一対の締着バンド２４，２５を引き寄せてレンズ筒Ｌ部分を押さえるようにして各締着バンド２４，２５の対抗する面ファスナー２４ａ，２５ａ部分を重ねて押し付けて装着される。
【００１７】
図２（ａ）に示すように、膨出カバー部１０の膨出袋部１１において、さらに、その記収容室１１ａの内側で横方向側方に位置して布製のポケット１３が備えられている。また、ポケット１３にはその上部に布製の覆い１３ａが設けられ、ポケット１２の口を塞ぐことができる。したがって、ポケットに入れられた付属品などの抜け出しを防止して、挿入された付属品の脱落防止がされる。当該ポケット１３の設置位置は、レンズ筒Ｌの側面で且つカメラ本体前面の横方向側面側において位置させることができるので、レンズ筒Ｌの上下方向の側面のような狭小な空間とは違って、余裕のある大きなスペースを利用することができる。したがって、膨出カバー部１０の付属品を収納することのできる膨出袋部１１の内部側方において、収容ポケット１３内にメディアカード１４等の収容が簡単にでき、また、比較的外部の衝撃の受けにくい位置に設定されることになるので、メディアカードの保護を図ることが可能となる。
【００１８】
使用後におけるカメラ本体のカメラケース本体２０内への収納に当っては、図２（ａ）に示す状態から、膨出カバー部１０を前方上部を越えるようにして巻き込みながらカメラを覆い隠し、逆転した状態で示した図２（ｂ）に示すカメラ上面（図面上、下側）からはみ出た状態となし、その後、カバー部１２をカメラケース本体２０の背面側へと巻き込んで覆い、さらにカメラケース本体２０の底外表面側へと巻き込み、最終的に、カバー部１２の端部に設けた面ファスナー１２ａを、カメラケース本体の底外表面に設置の面ファスナー２３ａに押え付ければ、図３（ａ）に示すように定着することができる。
【００１９】
なお、本考案においては、膨出カバー１０のカバー部１２をカメラケース本体２０の底側から後側に巻き返して、図３（ｂ）に模式的に示すように、カバー部１２の面ファスナー１２ａをカメラケース本体の底外表面の面ファスナー２３ａに締着することができる。  このような締着によれば、使用時にカバー部１２を膨出袋部１１の外表面に沿わせてコンパクトに留め置くことができ、液晶窓からの撮像確認に支障をきたすことなく使用することが可能となる。
【図面の簡単な説明】
【００２０】
【図１】カメラケースの膨出カバー部を開放した状態で、レンズ筒を囲んで配置し得る一対のバンド部により締着可能な状態を示す斜視図である。
【図２】カメラケースの使用形態を説明するための図であり、（ａ）は使用時のカメラケースを開放した状態を示す斜視図であり、（ｂ）は使用後のカメラケースを閉じる途中における、相互に締着されるカメラケースの底部外表面に面ファスナー及び膨出カバー部端部の面ファスナーをそれぞれを示す写真である。
【図３】カバー部端部を面ファスナーにより締着する態様を示す図であり、（ａ）は、使用後、膨出カバー部をカメラケースの前側から被せて閉じ、そのカバー部端部がその面ファスナーにより締着されてカメラ収容状態を示す写真である。また、（ｂ）は、使用中、膨出カバー部を、カメラケースの下から後側に回して、そのカバー部端部をカバーケース底外表面との間で面ファスナーにより締着した膨出カバー巻き返し保持状態を示す模式図である。
【符号の説明】
【００２１】
１０  膨出カバー部
１１  膨出袋部
１１ａ  レンズ筒収容室
１１ｂ  側面部
１１ｃ  接続部
１２  カバー部
１２ａ  面ファスナー
１３  ポケット
１３ａ  蓋
１４  メディアカード
２０  カメラケース本体
２１  ケース周側部
２２  背面部
２３  底部
２３ａ  面ファスナー
２４，２５   締着バンド部
２４ａ，２５ａ  面ファスナー
２６  カメラ本体挿入開口
２７  カメラ収容室
２８  レンズ筒挿入開口
２８ａ，２８ａ  開口縁
２９  液晶窓
Ｃ  カメラケース
Ｌ  レンズ筒
【図１】
0003165332.tif 000003
【図２】
0003165332.tif 000004
【図３】
0003165332.tif 000005